(57)【要約】      （修正有）【課題】手軽に使用でき、且つ、使用しない場合はコンパクトな状態で携帯可能な枕を提供する。【解決手段】枕１０は、頭部を載置する主面を有し、可撓性を有するクッション体２０と、クッション体を収納するカバー部３０と、クッション体を収納したカバー部を収納可能な袋部４０と、を備える。袋部の底部と、カバー部とは、結合しており、袋部は、第１の面４４と、第１の面の裏側に位置する第２の面４５とを有し、カバー部が袋部の外側に露出している状態においては、第１の面が袋部の外側に位置し、カバー部が袋部の内側に収納されている状態においては、第２の面が袋部の外側に位置する。【選択図】図１
0003211435.tif 000002
【実用新案登録請求の範囲】
【請求項１】
頭部又は頸部を載置する主面を有し、可撓性を有するクッション体と、
前記クッション体を収納するカバー部と、
前記クッション体を収納した前記カバー部を収納可能な袋部と、を備える枕であって、
前記袋部の底部と、前記カバー部とは、結合しており、
前記袋部は、第１の面と、前記第１の面の裏側に位置する第２の面とを有し、
前記カバー部が前記袋部の外側に露出している状態においては、前記第１の面が前記袋部の外側に位置し、
前記カバー部が前記袋部の内側に収納されている状態においては、前記第２の面が前記袋部の外側に位置する、枕。
【請求項２】
前記袋部は、前記クッション体を収納した前記カバー部が折り畳まれた状態において前記カバー部を収納する、請求項１に記載の枕。
【請求項３】
前記袋部の前記底部は、前記カバー部において前記頸部を載置する部分とは反対側の部分に結合している、
請求項１又は２に記載の枕。
【請求項４】
前記カバー部は、前記クッション体を着脱可能に収納する、
請求項１〜３のいずれか一項に記載の枕。
【考案の詳細な説明】
【技術分野】
【０００１】
本考案は枕に関し、特に携帯用枕に関する。
【背景技術】
【０００２】
近年、スマートフォンやパーソナルコンピュータ等の普及と共に、長時間同じ姿勢を維持することによりストレートネックと呼ばれる状態になる人が増加している。このような状態は、首の痛み、肩こり又は手のしびれ等を引き起こす。また、自動車や飛行機などに乗って移動している最中やアウトドア等の環境において睡眠を取る場合がある。そのような場合に、通常とは異なる姿勢を維持したため、首や肩に痛みを生じることがある。このような痛みやしびれ等の発症を防ぎ、又は、このような症状を和らげる為に、オフィス、移動中又はアウトドア等の様々な場所において使用でき、且つ、睡眠中の首等の負担を軽減する枕が提案されている。
【０００３】
例えば特許文献１においては、自宅以外の旅館や、自動車、飛行機、電車、あるいはテント等による就寝や仮眠時において自在に調整でき又取付自在の有効な携帯用枕構造が提案されている。また、特許文献２において、携帯可能な睡眠用枕、及び携帯時に枕本体をロール状に丸めて収納する技術が提案されている。
【先行技術文献】
【特許文献】
【０００４】
【特許文献１】特開平１０−０３３３３９号公報
【特許文献２】特開２００５−０２１２３０号公報
【考案の概要】
【考案が解決しようとする課題】
【０００５】
しかしながら、特許文献１において提案されているような枕は空気を封入して使用しなければならず、使用するには手間が掛かる。また、特許文献２において提案されているような枕は、枕本体と、枕を収納するための袋は別体であり、枕を使用している間に袋を紛失してしまう虞がある。
【０００６】
本考案は、このような課題を解決するためになされたものであり、手軽に使用でき、且つ、使用しない場合はコンパクトな状態で携帯可能な枕を提供するものである。
【課題を解決するための手段】
【０００７】
本考案にかかる枕は、頭部を載置する主面を有し、可撓性を有するクッション体と、前記クッション体を収納するカバー部と、前記クッション体を収納した前記カバー部を収納可能な袋部と、を備える枕であって、前記袋部の底部と、前記カバー部とは、結合しており、前記袋部は、第１の面と、前記第１の面の裏側に位置する第２の面とを有し、前記カバー部が前記袋部の外側に露出している状態においては、前記第１の面が前記袋部の外側に位置し、前記カバー部が前記袋部の内側に収納されている状態においては、前記第２の面が前記袋部の外側に位置するものである。
【０００８】
このように、袋部とカバー部とが結合していることにより、枕を収納する袋の紛失を防止することができる。
【０００９】
また、前記袋部は、前記クッション体を収納した前記カバー部を折り畳んだ状態において収納するものであってもよい。これにより、手軽に携帯可能な枕を提供することができる。
【００１０】
また、前記袋部の前記底部は、前記カバー部において前記頸部を載置する部分とは反対側の部分に結合していてもよい。このような配置で袋部を結合することにより、枕の外観は整然とした印象になり、且つ、カバー部を容易に収納することができる。また、このような配置で袋部を結合することは、枕を使用して休息を取る際に、袋部が頸部に触れることを防ぐ。
【００１１】
また、前記カバー部は、前記クッションを着脱可能に収納してもよい。これにより、クッション部を外したカバー部及び袋部を手軽に洗濯し、清潔な状態を保つことができる。
【考案の効果】
【００１２】
本考案により、手軽に使用でき、且つ、使用しない場合はコンパクトな状態で携帯可能な枕を提供することができる。
【図面の簡単な説明】
【００１３】
【図１】実施の形態にかかる枕の使用状態の外観図である。
【図２】実施の形態にかかる枕の収納状態の外観図である。
【図３】実施の形態にかかる枕の使用例を示す図である。
【図４】カバー部３０を折り畳む動作を説明するための図である。
【図５】折り畳んだカバー部３０を袋部４０に収納する状態を説明するための図である。
【図６】実施の形態にかかる枕を携帯している状態の一例を示す図である。
【考案を実施するための形態】
【００１４】
実施の形態
以下、図面を参照して本考案の実施の形態について説明する。実施の形態にかかる枕１０は、枕を使用する状態（使用状態）においては、クッション体が拡がり、枕として様々な状況下において手軽に使用可能である。また、枕１０は、使用しない場合には一体となった袋部に折り畳んだクッション体を収納する状態（収納状態）となる。
【００１５】
図１は、実施の形態にかかる枕の使用状態の外観図である。枕１０は、クッション体２０、カバー部３０、袋部４０を備えている。以下に各部の詳細を説明する。尚、図１において、一点鎖線部は、説明の便宜上、カバー部３０を部分的に透過させ、カバー部３０に収納されているクッション体２０を示している。
【００１６】
クッション体２０は、頭部又は頸部を載置する主面を有するクッションである。図１に例示したクッション体２０は、平面視において、略四角形状となっている。尚、ここで説明している略四角形状とは、実質的に四角形状であるということであって、略平行な対抗する短辺と、略平行な対抗する長辺とにより形成された長方形状ということもできる。また、クッション体２０は、対抗する辺の長さが異なることにより台形を有していてもよい。また、略四角形を形成するそれぞれの辺は、略直線状であって、使用する頭部周辺の形状等に合わせて緩やかな曲線等を形成していてもよい。例えば、クッション体２０は、平面視において、頭部又は頸部を載置する部分が、頭部又は頸部の形状に対応するように、弓状の曲線を形成していてもよく、それ以外の形状を形成していてもよい。クッション体２０は、側面視又は正面視においては、様々な形状を有していてもよい。例えば、側面視又は正面視においては、楕円形状又は半楕円形状であってもよい。また、クッション体２０は、頭部を載置する主面に凹凸形状を有していてもよい。また、クッション体２０は、主面中央部に頭部を載置する凹部を有していてもよい。
【００１７】
クッション体２０は、可撓性を有する。すなわち、クッション体２０は、折り畳み可能な素材により形成される。折り畳み可能な素材は、例えば、発泡ウレタンを主成分とした素材である。また、折り畳み可能な素材は、例えば、綿、樹脂パイプ、羽毛、ビーズ若しくは蕎麦殻又はこれらの組み合わせ等であってもよい。また、クッション体２０は、伸縮性を有していてもよい。
【００１８】
カバー部３０は、袋状であり、クッション体２０を収納するように形成されている。これにより、カバー部３０は、クッション体２０を着脱可能に収納する枕カバーの機能を有している。図１に示す例においては、カバー部３０は、ファスナ３１を有している。カバー部３０はファスナ３１を有することにより収納したクッション体２０がカバー部３０から脱落するのを防いでいる。ファスナ３１に代えて、釦、スナップ、鉤ホック又は面ファスナ等であってもよい。また、カバー部３０は上述したファスナ３１等を有さず、クッション体を収納するための孔が形成されているだけでもよい。
【００１９】
カバー部３０は、繊維を織った布材、フェルト素材等の不織布等により形成されている。
【００２０】
袋部４０は、クッション体２０を収納したカバー部３０を、収納可能である。袋部４０は、開口部４１、紐４２、ストッパ４３、底部４６を有する袋形状の部材である。袋部４０は、底部４６において、カバー部３０と結合している。図１においては、袋部４０は、底部４６においてカバー部と縫合されている。袋部４０は、底部４６において、カバー部３０と他の手段により結合していてもよい。例えば、袋部４０は、カバー部３０とファスナ、釦、スナップ、鉤ホック又は面ファスナ等により結合していてもよい。袋部４０と、カバー部３０とは、着脱可能でなくともよいし、着脱可能な構造であってもよい。
【００２１】
開口部４１は、カバー部３０を収納し、又はカバー部３０を取り出す際にカバー部３０が通過するように形成されている。開口部４１の周囲には紐４２を保持する貫通孔が開口部４１を取り囲むように形成されている。貫通孔は、紐４２を挿通させるための開口部を２か所有している。紐４２は、開口部４１に形成された貫通孔に挿通しており、両端部は互いに結ばれて環状に形成されている。環状に形成された紐４２は、周長が開口部４１の周長よりも長く設定されている。紐４２にはストッパ４３が係合している。ストッパ４３は、紐４２の任意の２か所を係止することができる構造となっている。すなわち、ストッパ４３が紐４２の結び目に近付いて係止する場合、開口部４１は、大きく開くことが可能な状態となる。一方、ストッパ４３が紐４２の結び目から遠い位置において係止する場合、開口部４１は、小さく絞られた状態となる。
【００２２】
図１に例示した枕１０において、袋部４０の底部４６は、カバー部３０において頸部を載置する部分とは反対側の部分に結合している。このような配置で袋部を結合することにより、枕を使用して休息を取る際に袋部が頸部に触れることを防ぐ。また、図１に例示した枕１０において、袋部４０は、カバー部３０の長辺の中央部において結合している。このような構造は、後述するカバー部３０の収納作業が容易になるだけでなく、外観上整然とした印象となっている。
【００２３】
袋部４０は、図１において示す使用状態においては、第１の面４４が外側に位置している。そして、第１の面４４の裏側に位置する第２の面４５は、袋部４０の内部に位置している。すなわち、カバー部３０が袋部４０の外側に露出している状態においては、第１の面４４が袋部４０の外側に位置する。そして、カバー部３０が袋部４０の内側に収納されている状態においては、第２の面４５が袋部４０の外側に位置する。
【００２４】
袋部４０は、カバー部３０と同様、繊維を織った布材、フェルト素材等の不織布等の素材により形成されてもよい。また、袋部４０は、これらの素材の内、カバー部３０とは異なる素材で形成されてもよい。第１の面４４の素材と、第２の面４５の素材とは、同じであってもよい。また、第１の面４４の素材と、第２の面４５の素材とは、それぞれ異なっていてもよい。
【００２５】
尚、カバー部３０がクッション体２０を着脱可能とすることにより、カバー部３０及び結合された袋部４０は、クッション体２０を取り外して手軽に洗濯されることが可能となる。したがって、このような構成により、カバー部３０及び結合された袋部４０を清潔に保つことができる。
【００２６】
次に、図２を参照しながら、実施の形態にかかる枕１０の、収納状態について説明する。図２は、実施の形態にかかる枕の収納状態の外観図である。袋部４０は、クッション体２０を収納したカバー部３０を収納している。収納状態においては、クッション体２０を収納したカバー部３０を覆い、埃等から保護するため、開口部４１は、小さく絞られている。つまり、紐４２に係合しているストッパ４３は、紐４２の結び目から遠い位置において係止され、開口部４１を小さくした状態を維持している。収納状態においては、袋部４０の第２の面４５が外側に位置する。
【００２７】
次に、図３を参照しながら、実施の形態にかかる枕１０の使用状態について説明する。図３は、実施の形態にかかる枕の使用例を示す図である。使用者は、例えば、机に使用状態の枕１０を設置する。その際、例えば、使用者から遠い側に袋部４０を配置する。すなわち、頸部を載置する部分とは反対側に袋部４０を配置する。このような配置をすることにより、使用者に袋部が触れることはない。使用者は枕１０のクッション部分に頭部等を載置する。図３において示した使用例に限らず、使用者は、枕１０を通常の睡眠状態において横たわって使用することもできる。また、使用者は、枕１０を、壁に寄りかかって使用することもできる。
【００２８】
次に、図４〜５を参照しながら、実施の形態に係る枕１０を使用状態から収納状態に変化させる作業の手順について説明する。図４は、カバー部３０を折り畳む動作を説明するための図である。まず、使用者は、図４に示すようにカバー部３０を折り畳む作業を行う。具体的には、使用者は、カバー部３０の短辺と平行な線に沿ってカバー部３０を折り曲げる。尚、ここでいう「折り畳む」とは、使用者がカバー部３０をロール状に折り曲げることであってもよいし、使用者がカバー部３０の対向する短辺部を互いに近付けるように折り畳むことであってもよい。以降は、上述したような方法をいずれも「折り畳む」と称する。
【００２９】
カバー部３０を折り畳んだ後に、使用者は、折り畳んだカバー部３０を袋部４０に収納する作業を行う。図５は、折り畳んだカバー部３０を袋部４０に収納する状態を説明するための図である。カバー部３０を袋部４０に収納するに際し、使用者は、ストッパ４３を開口部４１から遠い位置に係止させておく。すなわち、使用者は、開口部４１を大きく開くことができる状態にしておく。そして、使用者は、カバー部３０が折り畳まれた状態を維持すると共に、開口部４１を、カバー部３０に通過させる。つまり、使用者は、開口部４１を矢印の方向に移動させる。これにより、図５において二点鎖線で示している第１の面４４は反転し、袋部４０の内側に位置している。一方、開口部４１をカバー部３０に通過させることにより、袋部４０の内側に位置する第２の面４５は、袋部４０の外側へ位置する。このようにしてカバー部３０を全て袋部４０の内部に収納する。使用者は、カバー部３０を袋部４０に収納した後に、ストッパ４３を開口部４１に近づけるように調整して、開口部４１を絞る。このようにして、使用者は、枕１０を図２において示した収納状態にする。
【００３０】
収納状態の枕１０は携帯して様々な環境において使用することが可能となる。図６は、実施の形態にかかる枕を携帯している状態の一例を示す図である。図６に例示するように、使用者は、枕１０を容易に持ち運ぶことができる。そのため、使用者は様々な場所において、枕１０を使用することができる。
【００３１】
以上のような構成により、手軽に使用でき、且つ、使用しない場合はコンパクトな状態で携帯可能な枕を提供することができる。
【００３２】
なお、本考案は上記実施の形態に限られたものではなく、趣旨を逸脱しない範囲で適宜変更することが可能である。
【符号の説明】
【００３３】
１０  枕
２０  クッション体
３０  カバー部
３１  ファスナ
４０  袋部
４１  開口部
４２  紐
４３  ストッパ
４４  第１の面
４５  第２の面
４６  底部
【図１】
0003211435.tif 000003
【図２】
0003211435.tif 000004
【図３】
0003211435.tif 000005
【図４】
0003211435.tif 000006
【図５】
0003211435.tif 000007
【図６】
0003211435.tif 000008